(57)【要約】【課題】知識や経験に乏しいプラントの作業員であっても、異常の原因が存在する機器を容易に特定することができる機器システム、情報処理装置、端末装置、および表示方法を提供する。【解決手段】プラントにおけるプロセス制御を構成する複数の機器の中から注目機器を指定する指定部と、表示部と、を具備する作業員が使用するモバイル端末装置と、複数の機器の関係性情報を記憶する記憶部と、関係性情報に基づき、指定された注目機器に関連する関連機器をそれぞれ抽出し、関係図を生成する生成部と、各機器のイベント並びに測定値を示し現在の情報を含む履歴情報と各機器をそれぞれ関連付けて、各履歴情報を表形式またはグラフ形式で表示するように前記関係図に加える履歴情報埋込部と、を具備する情報処理装置と、を備えるプラント運転支援システム。【選択図】  図２
2018045720.tif 000002
【特許請求の範囲】
【請求項１】
プラント運転を支援するプラント運転支援システムにおいて、
プラントにおけるプロセス制御を構成する複数の機器の中から注目機器を指定する指定部と、前記指定部によって指定された前記注目機器と、この注目機器と関連する関連機器とが示される少なくとも２つの関係図を表示する表示部と、を具備する作業員によって使用されるモバイル端末装置と、
前記モバイル端末装置とネットワークを介して接続される情報処理装置と、を備え、
前記情報処理装置は、
前記複数の機器の関係性を示す関係性情報として、前記複数の機器のそれぞれの位置を示す位置関係性情報、前記複数の機器のそれぞれのプロセス上の接続関係を示すプロセス関係性情報、前記複数の機器のそれぞれの制御上の入出力関係を示す制御関係性情報、および前記複数の機器のそれぞれの通信上の接続関係を示す通信関係性情報のうちの少なくとも２つを記憶する記憶部と、
前記記憶部に記憶された前記位置関係性情報、前記プロセス関係性情報、前記制御関係性情報、および前記通信関係性情報のうちの少なくとも２つの関係性情報で示される関係性に基づき、前記指定部によって指定された前記注目機器に関連する関連機器をそれぞれ抽出して、前記注目機器が設置されている位置と前記関連機器が設置されている位置との関係を示す位置関係図、前記注目機器と前記関連機器のプロセス上の接続関係を示すプロセス関係図、前記注目機器と前記関連機器の制御上の入出力関係を示す制御関係図、または、前記注目機器と前記関連機器の通信上の接続関係を示す通信関係図のうち少なくとも２つの関係図を生成する生成部と、
前記注目機器のイベント並びに測定値を示し現在の情報を含む履歴情報と前記注目機器とを関連付けるとともに、前記関連機器のイベント並びに測定値を示し現在の情報を含む履歴情報と前記関連機器とを関連付けて、この関連付けられた各履歴情報を表形式またはグラフ形式のうち少なくともいずれかの形式で表示するように前記関係図に加える履歴情報埋込部と、
を備え、
前記モバイル端末装置は、
前記ネットワークを介して前記情報処理装置から、前記履歴情報埋込部によって加えられた前記各履歴情報を含む少なくとも２つの前記関係図を受信し、これらの関係図を前記表示部に表示する表示制御部と、前記少なくとも２つの関係図を切り替えて前記表示部に表示するための切替部をさらに具備する、ことを特徴とするプラント運転支援システム。
【請求項２】
前記指定部によって現在指定されている注目機器とは異なる別の注目機器が指定された場合、
前記生成部は、前記記憶部に記憶された前記位置関係性情報、前記プロセス関係性情報、前記制御関係性情報、および前記通信関係性情報のうちの少なくとも２つの関係性情報から、当該関係性情報で示される関係性に従って前記指定部によって指定された前記別の注目機器に関連する関連機器をそれぞれ抽出して、少なくとも２つの関係図を生成し、
前記表示部は、前記生成部によって生成された前記少なくとも２つの関係図を表示する、
請求項１記載のプラント運転支援システム。
【請求項３】
前記表示部は、前記測定値の履歴情報をスクロールさせるためのスクロール部を表示し、前記スクロール部に対する操作に応じて、前記注目機器の測定値の履歴情報および少なくとも一つの前記関連機器の測定値の履歴情報を連動してスクロールさせる、
請求項１または２記載のプラント運転支援システム。
【請求項４】
前記表示部は、前記スクロール部に対する操作に応じて、前記注目機器のイベントの履歴情報および少なくとも一つの前記関連機器のイベントの履歴情報を連動してスクロールさせる、
請求項３記載のプラント運転支援システム。
【請求項５】
前記表示部は、前記少なくとも２つの関係図を切り替えて表示するための前記切替部を表示する、
請求項１乃至４のいずれか一項に記載のプラント運転支援システム。
【請求項６】
プラントを構成する複数の機器のうち、注目機器を示す情報をモバイル端末装置から受信する受信部と、
前記複数の機器の関係性を示す関係性情報として、前記複数の機器のそれぞれの位置を示す位置関係性情報、前記複数の機器のそれぞれのプロセス上の接続関係を示すプロセス関係性情報、前記複数の機器のそれぞれの制御上の入出力関係を示す制御関係性情報、および前記複数の機器のそれぞれの通信上の接続関係を示す通信関係性情報のうちの少なくとも２つを記憶する記憶部と、
前記記憶部に記憶された前記位置関係性情報、前記プロセス関係性情報、前記制御関係性情報、および前記通信関係性情報のうちの少なくとも２つの関係性情報で示される関係性に基づき、前記指定部によって指定された前記注目機器に関連する関連機器をそれぞれ抽出して、前記注目機器が設置されている位置と前記関連機器が設置されている位置との関係を示す位置関係図、前記注目機器と前記関連機器のプロセス上の接続関係を示すプロセス関係図、前記注目機器と前記関連機器の制御上の入出力関係を示す制御関係図、または、前記注目機器と前記関連機器の通信上の接続関係を示す通信関係図のうち少なくとも２つの関係図を生成する生成部と、
前記注目機器のイベント並びに測定値を示し現在の情報を含む履歴情報と前記注目機器とを関連付けるとともに、前記関連機器のイベント並びに測定値を示し現在の情報を含む履歴情報と前記関連機器とを関連付けて、この関連付けられた各履歴情報を表形式またはグラフ形式のうち少なくともいずれかの形式で前記各機器の近傍に表示するように前記関係図に加える履歴情報埋込部と、を備え、
前記モバイル端末装置とネットワークを介して接続され、少なくとも前記記憶部、前記生成部、及び前記履歴情報埋込部を具備する情報処理装置。
【請求項７】
プラントにおけるプロセス制御を構成する複数の機器の中から注目機器を指定する指定部と、
前記指定部によって指定された前記注目機器を示す情報を、請求項６記載の情報処理装置に送信する送信部と、
前記注目機器が設置されている位置と前記関連機器が設置されている位置との関係を示す位置関係図、前記注目機器と前記関連機器のプロセス上の接続関係を示すプロセス関係図、前記注目機器と前記関連機器の制御上の入出力関係を示す制御関係図、または、前記注目機器と前記関連機器の通信上の接続関係を示す通信関係図のうち少なくとも２つの関係図を、前記情報処理装置から受信する受信部と、
前記受信部によって受信された前記位置関係図、前記プロセス関係図、前記制御関係図、又は前記通信関係図のうち少なくとも２つの関係図を表示する表示部と、
ネットワークを介して前記情報処理装置から、前記注目機器のイベント並びに測定値を示し現在の情報を含む履歴情報と、前記関連機器のイベント並びに測定値を示し現在の情報を含む履歴情報とを含む少なくとも２つの前記関係図を受信し、これらの関係図を前記表示部に表示する表示制御部と、前記少なくとも２つの関係図を切り替えて前記表示部に表示するための切替部を具備する、ことを特徴とするモバイル端末装置。
【請求項８】
プラントにおけるプロセス制御を構成する複数の機器の中から注目機器を指定する指定工程と、
前記複数の機器のそれぞれの位置を示す位置関係性情報、前記複数の機器のそれぞれのプロセス上の接続関係を示すプロセス関係性情報、前記複数の機器のそれぞれの制御上の入出力関係を示す制御関係性情報、および前記複数の機器のそれぞれの通信上の接続関係を示す通信関係性情報のうちの少なくとも２つの関係性情報で示される関係性に基づき、前記指定部によって指定された前記注目機器に関連する関連機器をそれぞれ抽出して、前記注目機器が設置されている位置と前記関連機器が設置されている位置との関係を示す位置関係図、前記注目機器と前記関連機器のプロセス上の接続関係を示すプロセス関係図、前記注目機器と前記関連機器の制御上の入出力関係を示す制御関係図、または、前記注目機器と前記関連機器の通信上の接続関係を示す通信関係図のうち少なくとも２つの関係図を生成する生成工程と、
前記注目機器のイベント並びに測定値を示し現在の情報を含む履歴情報と前記注目機器とを関連付けるとともに、前記関連機器のイベント並びに測定値を示し現在の情報を含む履歴情報と前記関連機器とを関連付けて、この関連付けられた各履歴情報を表形式またはグラフ形式のうち少なくともいずれかの形式で前記各機器の近傍に表示するように前記関係図に加える埋込工程と、
前記生成工程によって生成され、前記埋込工程で前記各履歴情報が加えられた前記少なくとも２つの関係図を表示する表示工程と、
を有する、表示方法。
【発明の詳細な説明】
【技術分野】
【０００１】
本発明は、プラントの作業員の作業を支援するプラント運転支援システム、情報処理装置、モバイル端末装置、および表示方法に関する。
【背景技術】
【０００２】
従来から、プラントや工場等（以下、これらを総称する場合には、単に「プラント」という）においては、複数のフィールド機器（測定器、操作器、表示器、報知器、その他の機器）と、これらの制御を行う制御装置とがネットワークを介して接続された分散制御システム（ＤＣＳ：Distributed Control System）が構築されており、高度な自動操業が実現されている。このような分散制御システムでは、プロセス制御に必要となるプロセス値が制御装置とフィールド機器との間で相互にやりとりされている。
【０００３】
また、プラントにおいて異常が発生した場合、プラントの作業員はプラントの状態に応じた適切な操作を行う必要がある。例えば、特許文献１には、プラントから取得したプロセス値に基づいてプラントを診断し、診断により得られた情報に基づいて異常に対処するための操作ガイダンスを表示するプラント運転支援装置が開示されている。
【先行技術文献】
【特許文献】
【０００４】
【特許文献１】特開平５−１５１４８４号公報
【発明の開示】
【発明が解決しようとする課題】
【０００５】
プラント内の複数のフィールド機器は、物理的な位置関係、プロセス関係、制御関係、および通信関係等、様々な関係により結びついている。このため、プラントにおいて異常が発生した場合、異常が発生したフィールド機器に異常の原因が存在するとは限らず、周辺のフィールド機器に異常の原因が存在する可能性がある。
【０００６】
しかしながら、特許文献１に記載のプラント運転支援装置は、プラントに異常が発生した場合、異常の原因が存在するフィールド機器の候補がプラント内のどの装置の範囲まで及ぶのかを判別することができなかった。このため、プラントの作業員は、どのフィールド機器に異常の原因が存在するのかを調査する必要があり、知識や経験に乏しいプラントの作業員にとっては、異常の原因が存在するフィールド機器を特定することが困難であるという問題があった。
【０００７】
そこで、本発明は、知識や経験に乏しいプラントの作業員であっても、異常の原因が存在する機器を容易に特定することができるプラント運転支援システム、情報処理装置、モバイル端末装置、および表示方法を提供することを目的とする。
【課題を解決するための手段】
【０００８】
本発明の請求項１に記載のプラント運転支援システムは、プラントにおけるプロセス制御を構成する複数の機器の中から注目機器を指定する指定部と、前記指定部によって指定された前記注目機器と、この注目機器と関連する関連機器とが示される少なくとも２つの関係図を表示する表示部と、を具備する作業員によって使用されるモバイル端末装置と、
前記モバイル端末装置とネットワークを介して接続される情報処理装置と、を備え、
前記情報処理装置は、
前記複数の機器の関係性を示す関係性情報として、前記複数の機器のそれぞれの位置を示す位置関係性情報、前記複数の機器のそれぞれのプロセス上の接続関係を示すプロセス関係性情報、前記複数の機器のそれぞれの制御上の入出力関係を示す制御関係性情報、および前記複数の機器のそれぞれの通信上の接続関係を示す通信関係性情報のうちの少なくとも２つを記憶する記憶部と、
前記記憶部に記憶された前記位置関係性情報、前記プロセス関係性情報、前記制御関係性情報、および前記通信関係性情報のうちの少なくとも２つの関係性情報で示される関係性に基づき、前記指定部によって指定された前記注目機器に関連する関連機器をそれぞれ抽出して、前記注目機器が設置されている位置と前記関連機器が設置されている位置との関係を示す位置関係図、前記注目機器と前記関連機器のプロセス上の接続関係を示すプロセス関係図、前記注目機器と前記関連機器の制御上の入出力関係を示す制御関係図、または、前記注目機器と前記関連機器の通信上の接続関係を示す通信関係図のうち少なくとも２つの関係図を生成する生成部と、
前記注目機器のイベント並びに測定値を示し現在の情報を含む履歴情報と前記注目機器とを関連付けるとともに、前記関連機器のイベント並びに測定値を示し現在の情報を含む履歴情報と前記関連機器とを関連付けて、この関連付けられた各履歴情報を表形式またはグラフ形式のうち少なくともいずれかの形式で表示するように前記関係図に加える履歴情報埋込部と、
を備え、
前記モバイル端末装置は、
前記ネットワークを介して前記情報処理装置から、前記履歴情報埋込部によって加えられた前記各履歴情報を含む少なくとも２つの前記関係図を受信し、これらの関係図を前記表示部に表示する表示制御部と、前記少なくとも２つの関係図を切り替えて前記表示部に表示するための切替部をさらに具備する、ことを特徴とする。
【０００９】
本発明の請求項２に記載のプラント運転支援システムは、請求項１において、前記指定部によって現在指定されている注目機器とは異なる別の注目機器が指定された場合、
前記生成部は、前記記憶部に記憶された前記位置関係性情報、前記プロセス関係性情報、前記制御関係性情報、および前記通信関係性情報のうちの少なくとも２つの関係性情報から、当該関係性情報で示される関係性に従って前記指定部によって指定された前記別の注目機器に関連する関連機器をそれぞれ抽出して、少なくとも２つの関係図を生成し、
前記表示部は、前記生成部によって生成された前記少なくとも２つの関係図を表示する。
【００１０】
本発明の請求項３に記載のプラント運転支援システムは、請求項１または請求項２において、前記表示部は、前記測定値の履歴情報をスクロールさせるためのスクロール部を表示し、前記スクロール部に対する操作に応じて、前記注目機器の測定値の履歴情報および少なくとも一つの前記関連機器の測定値の履歴情報を連動してスクロールさせる。
【００１１】
本発明の請求項４に記載のプラント運転支援システムは、請求項３において、前記表示部は、前記スクロール部に対する操作に応じて、前記注目機器のイベントの履歴情報および少なくとも一つの前記関連機器のイベントの履歴情報を連動してスクロールさせる。
【００１２】
本発明の請求項５に記載のプラント運転支援システムは、請求項１から請求項４において、前記表示部は、前記少なくとも２つの関係図を切り替えて表示するための前記切替部を表示する。
【００１３】
本発明の請求項６に記載の情報処理装置は、プラントを構成する複数の機器のうち、注目機器を示す情報をモバイル端末装置から受信する受信部と、
前記複数の機器の関係性を示す関係性情報として、前記複数の機器のそれぞれの位置を示す位置関係性情報、前記複数の機器のそれぞれのプロセス上の接続関係を示すプロセス関係性情報、前記複数の機器のそれぞれの制御上の入出力関係を示す制御関係性情報、および前記複数の機器のそれぞれの通信上の接続関係を示す通信関係性情報のうちの少なくとも２つを記憶する記憶部と、
前記記憶部に記憶された前記位置関係性情報、前記プロセス関係性情報、前記制御関係性情報、および前記通信関係性情報のうちの少なくとも２つの関係性情報で示される関係性に基づき、前記指定部によって指定された前記注目機器に関連する関連機器をそれぞれ抽出して、前記注目機器が設置されている位置と前記関連機器が設置されている位置との関係を示す位置関係図、前記注目機器と前記関連機器のプロセス上の接続関係を示すプロセス関係図、前記注目機器と前記関連機器の制御上の入出力関係を示す制御関係図、または、前記注目機器と前記関連機器の通信上の接続関係を示す通信関係図のうち少なくとも２つの関係図を生成する生成部と、
前記注目機器のイベント並びに測定値を示し現在の情報を含む履歴情報と前記注目機器とを関連付けるとともに、前記関連機器のイベント並びに測定値を示し現在の情報を含む履歴情報と前記関連機器とを関連付けて、この関連付けられた各履歴情報を表形式またはグラフ形式のうち少なくともいずれかの形式で前記各機器の近傍に表示するように前記関係図に加える履歴情報埋込部と、を備え、
前記モバイル端末装置とネットワークを介して接続され、少なくとも前記記憶部、前記生成部、及び前記履歴情報埋込部を具備する。
【００１４】
本発明の請求項７に記載のモバイル端末装置は、プラントにおけるプロセス制御を構成する複数の機器の中から注目機器を指定する指定部と、
前記指定部によって指定された前記注目機器を示す情報を、請求項６記載の情報処理装置に送信する送信部と、
前記注目機器が設置されている位置と前記関連機器が設置されている位置との関係を示す位置関係図、前記注目機器と前記関連機器のプロセス上の接続関係を示すプロセス関係図、前記注目機器と前記関連機器の制御上の入出力関係を示す制御関係図、または、前記注目機器と前記関連機器の通信上の接続関係を示す通信関係図のうち少なくとも２つの関係図を、前記情報処理装置から受信する受信部と、
前記受信部によって受信された前記位置関係図、前記プロセス関係図、前記制御関係図、又は前記通信関係図のうち少なくとも２つの関係図を表示する表示部と、
ネットワークを介して前記情報処理装置から少なくとも２つの前記関係図を受信し、これらの関係図に、前記注目機器および前記関連機器の前記各履歴情報が前記各ききの近傍に表形式またはグラフ形式で配置された状態で、前記関係図を表示する表示制御部と、
前記少なくとも２つの関係図を切り替えて表示するための切替部を具備する、ことを特徴とする。
【００１５】
本発明の請求項８に記載の表示方法は、プラントにおけるプロセス制御を構成する複数の機器の中から注目機器を指定する指定工程と、
前記複数の機器のそれぞれの位置を示す位置関係性情報、前記複数の機器のそれぞれのプロセス上の接続関係を示すプロセス関係性情報、前記複数の機器のそれぞれの制御上の入出力関係を示す制御関係性情報、および前記複数の機器のそれぞれの通信上の接続関係を示す通信関係性情報のうちの少なくとも２つの関係性情報で示される関係性に基づき、前記指定部によって指定された前記注目機器に関連する関連機器をそれぞれ抽出して、前記注目機器が設置されている位置と前記関連機器が設置されている位置との関係を示す位置関係図、前記注目機器と前記関連機器のプロセス上の接続関係を示すプロセス関係図、前記注目機器と前記関連機器の制御上の入出力関係を示す制御関係図、または、前記注目機器と前記関連機器の通信上の接続関係を示す通信関係図のうち少なくとも２つの関係図を生成する生成工程と、
前記注目機器のイベント並びに測定値を示し現在の情報を含む履歴情報と前記注目機器とを関連付けるとともに、前記関連機器のイベント並びに測定値を示し現在の情報を含む履歴情報と前記関連機器とを関連付けて、この関連付けられた各履歴情報を表形式またはグラフ形式のうち少なくともいずれかの形式で前記各機器の近傍に表示するように前記関係図に加える埋込工程と、
前記生成工程によって生成され、前記埋込工程で前記各履歴情報が加えられた前記少なくとも２つの関係図を表示する表示工程と、
を有する。
【発明の効果】
【００１６】
本発明のプラント運転支援システム、情報処理装置、モバイル端末装置、および表示方法によれば、知識や経験に乏しいプラントの作業員であっても、異常の原因が存在する機器を容易に特定することができる。
【図面の簡単な説明】
【００１７】
【図１】プラント運転支援システム１の全体構成を示すブロック図である。
【図２】端末装置と情報処理装置の要部構成を示すブロック図である。
【図３】位置関係図生成部によって生成される位置関係図の一例を示す図である。
【図４】記憶部に記憶されている位置関係性情報の一例を示す図である。
【図５】プロセス関係図生成部によって生成されるプロセス関係図の一例を示す図である。
【図６】記憶部に記憶されているプロセス関係性情報の一例を示す図である。
【図７】制御関係図生成部によって生成される制御関係図の一例を示す図である。
【図８】本記憶部に記憶されている制御関係性情報の一例を示す図である。
【図９】通信関係図生成部によって生成される通信関係図の一例を示す図である。
【図１０】記憶部に記憶されている通信関係性情報の一例を示す図である。
【図１１】フィールド機器の主要測定値の履歴と、フィールド機器で発生したイベントの履歴を示す履歴図の一例である。
【図１２】主要測定値の現在値と履歴図とが埋め込まれた位置関係図を示す図である。
【図１３】記憶部に記憶されている主要測定値履歴情報の一例を示す図である。
【図１４】記憶部に記憶されているイベント履歴情報の一例を示す図である。
【図１５】主要測定値の現在値と履歴図とが埋め込まれたプロセス関係図を示す図である。
【図１６】記憶部に記憶されている主要測定値履歴情報の一例を示す図である。
【図１７】記憶部に記憶されているイベント履歴情報の一例を示す図である。
【図１８】主要測定値の現在値と履歴図とが埋め込まれた制御関係図を示す図である。
【図１９】記憶部に記憶されている主要測定値履歴情報の一例を示す図である。
【図２０】記憶部に記憶されているイベント履歴情報の一例を示す図である。
【図２１】履歴図が埋め込まれた通信関係図を示す図である。
【図２２】記憶部に記憶されているイベント履歴情報の一例を示す図である。
【図２３】端末装置によって実行される表示処理を示すフローチャートである。
【図２４】情報処理装置によって実行される関係図の生成処理を示すフローチャートである。
【図２５】情報処理装置によって実行される位置関係図の生成処理を示すフローチャートである。
【図２６】情報処理装置によって実行されるプロセス関係図の生成処理を示すフローチャートである。
【図２７】情報処理装置によって実行される制御関係図の生成処理を示すフローチャートである。
【図２８】情報処理装置によって実行される通信関係図の生成処理を示すフローチャートである。
【発明を実施するための最良の形態】
【００１８】
以下、プラント運転支援システム、情報処理装置、端末装置、および表示方法を、図面を参照して説明する。
【００１９】
図１は、プラント運転支援システム１の全体構成を示すブロック図である。図１に示されるように、プラント運転支援システム１は、端末装置１０と、無線アクセスポイント（またはゲートウェイ装置）２０と、情報処理装置３０と、制御装置４０と、フィールド機器５０および６０とを備える。
【００２０】
端末装置１０と無線アクセスポイント２０とは、無線ネットワークＮ１を介して接続される。また、無線アクセスポイント２０および情報処理装置３０は、イントラネットＮ２に接続されている。無線ネットワークＮ１は、無線アクセスポイント２０によってプラントの現場に設置される無線のネットワークである。この無線ネットワークＮ１は、例えばＷｉ−Ｆｉ（登録商標）、ＷｉＭＡＸ（登録商標）、３Ｇ／ＬＴＥ（登録商標）、ＩＳＡ１００．１１ａ、およびＷｉｒｅｌｅｓｓＨＡＲＴ（登録商標）等の無線通信規格に準拠した無線通信が可能な無線ネットワークである。イントラネットＮ２は、例えばプラントの監視室内に敷設されたイーサネット（登録商標）等のネットワークである。
【００２１】
ここで、プラントとしては、化学等の工業プラントの他、ガス田や油田等の井戸元やその周辺を管理制御するプラント、水力・火力・原子力等の発電を管理制御するプラント、太陽光や風力等の環境発電を管理制御するプラント、上下水やダム等を管理制御するプラント等がある。
【００２２】
また、フィールド機器５０および６０は、例えば流量計や温度センサ等のセンサ機器、流量制御弁や開閉弁等のバルブ機器、ファンやモータ等のアクチュエータ機器、その他のプラントの現場に設置される機器である。フィールド機器５０および６０は、制御装置４０によって制御される機器である。制御装置４０とフィールド機器５０および６０は、フィールドネットワークＮ３を介して接続されている。
【００２３】
図１においては、一例として、フィールド機器５０を流量計、フィールド機器６０をバルブ機器として示している。制御装置４０は、流量計５０によって測定されたパイプ内を流れる流体の流量に基づき、バルブ機器６０の開閉動作を制御する。なお、フィールド機器５０および６０は、パイプやバルブ機器の振動をモニターする振動センサ、アクチュエータ機器から発する音をモニターする騒音センサであってもよい。
【００２４】
プラントで異常が発生した場合、プラントの作業員Ｗは異常原因を調査する。端末装置１０は、調査対象のフィールド機器を指定するために用いられる装置であり、プラントの作業員Ｗによって使用される。端末装置１０は、例えばタブレット型のコンピュータ、ノート型のコンピュータ、およびスマートフォンである。しかし、フィールド機器の指定および表示を行うために必要な機能を備えている端末装置であれば、任意の形態の端末装置を用いることができる。
【００２５】
図２は、端末装置と情報処理装置の要部構成を示すブロック図である。図２に示されるように、端末装置１０は、指定部１１と、表示部１２と、通信部１３とを備える。指定部１１は、例えば、プラントの作業員Ｗからの入力を受け付けるタッチパッドである。プラントで異常が発生した場合、プラントの作業員Ｗは、指定部１１を用いてプラントを構成する複数のフィールド機器の中から注目機器を指定する。注目機器は、プラントの作業員Ｗによる調査の対象とするフィールド機器である。
【００２６】
表示部１２は、例えば、液晶表示装置や有機ＥＬ（Electro Luminescence）表示装置等である。表示部１２は、指定部１１によって指定された注目機器と、注目機器と関連する関連機器とが示される関係図を表示する。関係図の詳細については後述する。通信部１３は、無線アクセスポイント２０へ情報を送信する送信部１３ａと、無線アクセスポイント２０から情報を受信する受信部１３ｂとを備える。
【００２７】
図２に示されるように、情報処理装置３０は、生成部３１と、埋込部３２と、読出／書込部３３と、記憶部３４と、通信部３５とを備える。生成部３１は、位置関係図生成部３１ａと、プロセス関係図生成部３１ｂと、制御関係図生成部３１ｃと、通信関係図生成部３１ｄとを備え、表示部１２に表示される関係図を生成する。これらの生成部３１ａ〜３１ｄの動作についての詳細は後述する。
【００２８】
埋込部３２は、フィールド機器の状態を示す履歴情報（後述する主要測定値の履歴情報およびイベントの履歴情報）と、フィールド機器の主要測定値の現在値を関係図に埋め込む。埋込部３２は、測定値履歴埋込部３２ａと、イベント履歴埋込部３２ｂと、現在値埋込部３２ｃとを備える。これら埋込部３２ａ〜３２ｃの動作についての詳細は後述する。
【００２９】
読出／書込部３３は、記憶部３４へ情報を書き込むとともに、記憶部３４から情報を読み出す。記憶部３４は、複数のフィールド機器の関係性を示す関係性情報、主要測定値履歴情報、およびイベント履歴情報を記憶している。関係性情報、主要測定値履歴情報、およびイベント履歴情報の詳細については後述する。通信部３５は、無線アクセスポイント２０へ情報を送信する送信部３５ａと、無線アクセスポイント２０から情報を受信する受信部３５ｂとを備える。
【００３０】
なお、情報処理装置３０は、例えばＣＰＵ（Central Processing Unit）等の演算回路を備える。ＣＰＵは、情報処理装置３０（コンピュータ）にインストールされているプログラムを実行することで、生成部３１、埋込部３２、および読出／書込部３３等の各機能を実現する。なお、これらの機能は、ＬＳＩやＡＳＩＣ等のハードウェアで実現されてもよい。
【００３１】
図３は、位置関係図生成部によって生成される位置関係図の一例を示す図である。図４は、記憶部に記憶されている位置関係性情報の一例を示す図である。以下、位置関係図生成部３１ａによる位置関係図１００の生成処理について説明する。
【００３２】
位置関係図生成部３１ａは、読出／書込部３３を用いて、図４に示される位置関係性情報１２０を記憶部３４から読み出す。位置関係性情報１２０には、機器名の情報と、フィールド機器が設置されている位置のＸ座標、Ｙ座標、およびＺ座標が含まれる。
【００３３】
図３に示されるように、ＴＡＲＧＥＴ００１のフィールド機器が注目機器１１０として指定部１１によって指定された場合、位置関係図生成部３１ａは、位置関係性情報１２０からＴＡＲＧＥＴ００１の位置情報１３０を取得する。また、位置関係図生成部３１ａは、ＴＡＲＧＥＴ００１からの距離が所定範囲内のフィールド機器を位置情報１４０に基づいて抽出する。
【００３４】
その後、位置関係図生成部３１ａは、読出／書込部３３を用いて、プラント内の複数のフィールド機器の配置関係を示す図を記憶部３４から読み出す。図３に示されるように、位置関係図生成部３１ａは、読み出した図に基づいて、ＴＡＲＧＥＴ００１（注目機器）と、ＴＡＲＧＥＴ００１からの距離が所定範囲内のフィールド機器（関連機器）とが含まれる位置関係図１００を生成する。なお、位置関係図生成部３１ａは、注目機器および関連機器を、他のフィールド機器と異なる色にする等して強調してもよい。
【００３５】
図５は、プロセス関係図生成部によって生成されるプロセス関係図の一例を示す図である。図６は、記憶部に記憶されているプロセス関係性情報の一例を示す図である。以下、プロセス関係図生成部３１ｂによるプロセス関係図２００の生成処理について説明する。
【００３６】
プロセス関係図生成部３１ｂは、読出／書込部３３を用いて、図６に示されるプロセス関係性情報２２０を記憶部３４から読み出す。プロセス関係性情報２２０には、機器名の情報と、フィールド機器が設置されているパイプの情報と、このパイプの上流側に設けられたパイプの情報が含まれる。
【００３７】
図５に示されるように、ＴＡＲＧＥＴ００１のフィールド機器が注目機器２１０として指定部１１によって指定された場合、プロセス関係図生成部３１ｂは、ＴＡＲＧＥＴ００１とプロセス上の接続関係があるフィールド機器を抽出する。具体的に、プロセス関係図生成部３１ｂは、図６に示されるように、プロセス関係性情報２２０からＴＡＲＧＥＴ００１が設置されているパイプの情報２３０（ここでは、パイプ１０１）を取得する。また、プロセス関係図生成部３１ｂは、符号２４０で示されるように、上流パイプがパイプ１０１であるフィールド機器を検索する。図６の例では、Ｌ００１１のフィールド機器が検索によって抽出される。また、ＴＡＲＧＥＴ００１の上流パイプである１００を設置パイプとしている機器名を検索して抽出してもよい。
【００３８】
その後、プロセス関係図生成部３１ｂは、読出／書込部３３を用いて、プラント内の複数のフィールド機器のプロセス上の接続関係を示す図を記憶部３４から読み出す。図５に示されるように、プロセス関係図生成部３１ｂは、読み出した図に基づいて、ＴＡＲＧＥＴ００１（注目機器）と、ＴＡＲＧＥＴ００１とプロセス上の接続関係があるフィールド機器（関連機器）とが含まれるプロセス関係図２００を生成する。なお、プロセス上の接続関係として、フィールド機器が設置されているパイプに基づいて検索することを説明したが、その他にも、例えば図５のタンクＴ００１に設置されている複数のフィールド機器を検索してもよい。
【００３９】
図７は、制御関係図生成部によって生成される制御関係図の一例を示す図である。図８は、記憶部に記憶されている制御関係性情報の一例を示す図である。以下、制御関係図生成部３１ｃによる制御関係図３００の生成処理について説明する。
【００４０】
制御関係図生成部３１ｃは、読出／書込部３３を用いて、図８に示される制御関係性情報３２０を記憶部３４から読み出す。制御関係性情報３２０には、制御ロジックの情報（例えばＰＩＤ制御を実行するロジック等）と、制御ロジックの入力端に接続されているフィールド機器の情報と、制御ロジックの出力端に接続されているフィールド機器の情報とが含まれる。
【００４１】
図７に示されるように、ＴＡＲＧＥＴ００１のフィールド機器が注目機器３１０として指定部１１によって指定された場合、制御関係図生成部３１ｃは、ＴＡＲＧＥＴ００１が接続されている制御ロジックと制御上の入出力関係があるフィールド機器を抽出する。具体的に、制御関係図生成部３１ｃは、図８の符号３３０に示されるように、ＴＡＲＧＥＴ００１が接続されている制御ロジックの情報（ここでは、ＦＩＣ１００）を取得する。また、制御関係図生成部３１ｃは、符号３４０で示されるように、制御ロジックＦＩＣ１００に接続されているフィールド機器を検索する。図８の例では、ＦＴ１００１のフィールド機器が検索によって抽出される。
【００４２】
その後、制御関係図生成部３１ｃは、読出／書込部３３を用いて、プラント内の複数のフィールド機器の制御上の入出力関係を示す図を記憶部３４から読み出す。図７に示されるように、制御関係図生成部３１ｃは、読み出した図に基づいて、ＴＡＲＧＥＴ００１（注目機器）と、ＴＡＲＧＥＴ００１と制御上の入出力関係があるフィールド機器（関連機器）とが含まれる制御関係図３００を生成する。
【００４３】
図９は、通信関係図生成部によって生成される通信関係図の一例を示す図である。図１０は、記憶部に記憶されている通信関係性情報の一例を示す図である。以下、通信関係図生成部３１ｄによる通信関係図４００の生成処理について説明する。
【００４４】
通信関係図生成部３１ｄは、読出／書込部３３を用いて、図１０に示される通信関係性情報４２０を記憶部３４から読み出す。通信関係性情報４２０には、機器名の情報と、各フィールド機器の上位ノードの情報とが含まれる。
【００４５】
図９に示されるように、ＴＡＲＧＥＴ００１のフィールド機器が注目機器４１０として指定部１１によって指定された場合、通信関係図生成部３１ｄは、ＴＡＲＧＥＴ００１の上位ノードを抽出する。具体的に、通信関係図生成部３１ｄは、図１０の符号４３０に示されるように、ＴＡＲＧＥＴ００１の上位ノードの情報（ここでは、ＪＢ１０１）を取得する。また、通信関係図生成部３１ｄは、符号４４０で示されるように、上位ノードがＪＢ１０１であるフィールド機器を検索する。図１０の例では、ＦＴ１００２のフィールド機器およびＦＴ１００１のフィールド機器が検索によって抽出される。
【００４６】
その後、通信関係図生成部３１ｄは、読出／書込部３３を用いて、プラント内の複数のフィールド機器の通信上の接続関係を示す図を記憶部３４から読み出す。図９に示されるように、通信関係図生成部３１ｄは、読み出した図に基づいて、ＴＡＲＧＥＴ００１（注目機器）と、ＴＡＲＧＥＴ００１と上位ノードＪＢ１０１を介して接続されているフィールド機器（関連機器）とが含まれる通信関係図４００を生成する。なお、上位ノードＪＢ１０１の更に上位のノードＩ０１０１に通信上接続されているフィールド機器を関連機器とすることもできる。
【００４７】
図１１は、フィールド機器の主要測定値の履歴と、フィールド機器で発生したイベントの履歴を示す履歴図の一例である。詳細は後述するが、履歴図５００は、各生成部３１ａ〜３１ｄによって生成された関係図上に埋め込まれる図である。履歴図５００において、横軸は時間を示し、縦軸は主要測定値ＡおよびＢの大きさを示す。
【００４８】
履歴図５００には、イベントの履歴情報５１０および５２０と、測定値の履歴情報５３０および５４０とが含まれる。イベントの履歴情報５１０は、フィールド機器で発生したアラーム等のイベントが発生したタイミングを示す。イベントの履歴情報５２０は、フィールド機器に対して操作が行われたタイミングを示す。測定値の履歴情報５３０は、主要測定値Ａの履歴を示す。測定値の履歴情報５４０は、主要測定値Ｂの履歴を示す。なお、現在発生して継続しているイベント情報を表示させてもよい。
【００４９】
履歴図５００の下方には、スクロールバー５５０と、左スクロールキー５６０と、右スクロールキー５７０とが配置されている。プラントの作業員Ｗは、スクロールバー５５０を左右に動かすことにより、履歴図５００を横軸方向にスクロールさせることができる。また、プラントの作業員Ｗは、左スクロールキー５６０を用いて履歴図５００を左方向にスクロールさせることができるとともに、右スクロールキー５７０を用いて履歴図５００を右方向にスクロールさせることができる。
【００５０】
次に、端末装置１０の表示部１２に表示される位置関係図６００、プロセス関係図７００、制御関係図８００、および通信関係図９００について説明する。これらの図には、主要測定値の現在値と履歴図とが埋め込まれている。
【００５１】
図１２は、主要測定値の現在値と履歴図とが埋め込まれた位置関係図を示す図である。図１２に示されるように、ＴＡＲＧＥＴ００１が注目機器であることが分かるように、位置関係図６００内のＴＡＲＧＥＴ００１に対して！マーク６１０が示されている。なお、！マーク６１０は一例であり、注目点を示すための他のマークが表示されてもよい。
【００５２】
ＴＡＲＧＥＴ００１と隣接する位置に、ＴＡＲＧＥＴ００１の履歴図６１１と主要測定値の現在値６１２が示されている。これによって、プラントの作業員Ｗは、注目機器ＴＡＲＧＥＴ００１の各種履歴情報と主要測定値の現在値とを把握することができるので、異常の原因を容易に特定することができる。
【００５３】
破線６１３は、ＴＡＲＧＥＴ００１から所定距離内の範囲の目安を示す。作業員Ｗは、端末装置１０を用いて予め所定距離の値を設定することができる。ＴＡＲＧＥＴ００１から所定距離内の範囲にフィールド機器が位置するかどうかは、前述の図４に示される位置関係性情報１２０を用いて判断される。図１２に示されるように、破線６１３の範囲内に関連機器ＴＴ１００３が存在する。関連機器ＴＴ１００３と隣接する位置に、ＴＴ１００３の履歴図６１４と主要測定値の現在値６１５が示されている。これによって、プラントの作業員Ｗは、関連機器ＴＴ１００３の各種履歴情報と主要測定値の現在値とを把握することができるので、異常の原因を容易に特定することができる。
【００５４】
位置関係図６００の上部には、ビュー切り替えキー６２０および６２１が配置されている。作業員Ｗがビュー切り替えキー６２０を選択すると、後述する通信関係図９００（図２１）に表示部１２の画面が切り替わる。一方、作業員Ｗがビュー切り替えキー６２１を選択すると、後述するプロセス関係図７００（図１５）に表示部１２の画面が切り替わる。
【００５５】
また、位置関係図６００には、上スクロールキー６３０、下スクロールキー６３１、左スクロールキー６３２、および右スクロールキー６３３が配置されている。作業員Ｗが上スクロールキー６３０を選択すると、位置関係図６００が上方向にスクロールする。作業員Ｗが下スクロールキー６３１を選択すると、位置関係図６００が下方向にスクロールする。作業員Ｗが左スクロールキー６３２を選択すると、位置関係図６００が左方向にスクロールする。作業員Ｗが右スクロールキー６３３を選択すると、位置関係図６００が右方向にスクロールする。なお、作業員Ｗが位置関係図６００上で指をスワイプすることで、位置関係図６００をスクロールさせるようにしてもよい。
【００５６】
次に、測定値履歴埋込部３２ａによる測定値履歴の埋込処理、イベント履歴埋込部３２ｂによるイベント履歴の埋込処理、および現在値埋込部３２ｃによる主要測定値の現在値の埋込処理について説明する。
【００５７】
図１に示される制御装置４０は、フィールド機器５０および６０からフィールドネットワークを介してフィールド機器５０および６０の主要測定値を収集する。制御装置４０は、収集した主要測定値を情報処理装置３０に送信する。情報処理装置３０は、制御装置４０から受信した主要測定値を記憶部３４に蓄積することで、主要測定値履歴情報を生成する。
【００５８】
また、制御装置４０は、フィールド機器５０および６０からフィールドネットワークを介してフィールド機器５０および６０で発生したイベント情報を収集する。制御装置４０は、収集したイベント情報を情報処理装置３０に送信する。情報処理装置３０は、制御装置４０から受信したイベント情報を記憶部３４に蓄積することで、イベント履歴情報を生成する。
【００５９】
図１３は、記憶部に記憶されている主要測定値履歴情報の一例を示す図である。図１３に示されるように、主要測定値履歴情報６４０には、機器名の情報と、日時の情報と、データ名の情報と、データ値とが含まれる。読出／書込部３３は、記憶部３４から主要測定値履歴情報６４０を読み出す。
【００６０】
図１３の符号６５０に示されるように、測定値履歴埋込部３２ａは、注目機器ＴＡＲＧＥＴ００１の主要測定値の履歴情報（日時の情報、データ名の情報、およびデータ値）を主要測定値履歴情報６４０から取得する。また、図１３の符号６６０に示されるように、測定値履歴埋込部３２ａは、関連機器ＴＴ１００３の主要測定値の履歴情報（日時の情報、データ名の情報、およびデータ値）を主要測定値履歴情報６４０から取得する。
【００６１】
図１４の符号６８０および６８１に示されるように、イベント履歴埋込部３２ｂは、注目機器ＴＡＲＧＥＴ００１で発生したイベントの履歴情報（日時の情報およびイベントの情報）をイベント履歴情報６７０から取得する。また、図１４の符号６９０に示されるように、イベント履歴埋込部３２ｂは、関連機器ＴＴ１００３で発生したイベントの履歴情報（日時の情報およびイベントの情報）をイベント履歴情報６７０から取得する。
【００６２】
図１２に示されるように、測定値履歴埋込部３２ａは、注目機器ＴＡＲＧＥＴ００１の主要測定値の履歴情報を位置関係図６００に埋め込む。また、イベント履歴埋込部３２ｂは、注目機器ＴＡＲＧＥＴ００１で発生したイベントの履歴情報を位置関係図６００に埋め込む。これによって、位置関係図６００に、ＴＡＲＧＥＴ００１の履歴図６１１が埋め込まれる。
【００６３】
また、現在値埋込部３２ｃは、注目機器ＴＡＲＧＥＴ００１の主要測定値の最新値を、主要測定値履歴情報６４０から取得する。そして、現在値埋込部３２ｃは、取得した最新値を、主要測定値の現在値６１２として位置関係図６００に埋め込む。
【００６４】
一方、測定値履歴埋込部３２ａは、関連機器ＴＴ１００３の主要測定値の履歴情報を位置関係図６００に埋め込む。また、イベント履歴埋込部３２ｂは、関連機器ＴＴ１００３で発生したイベントの履歴情報を位置関係図６００に埋め込む。これによって、位置関係図６００に、ＴＴ１００３の履歴図６１４が埋め込まれる。
【００６５】
また、現在値埋込部３２ｃは、関連機器ＴＴ１００３の主要測定値の最新値を、主要測定値履歴情報６４０から取得する。そして、現在値埋込部３２ｃは、取得した最新値を、主要測定値の現在値６１５として位置関係図６００に埋め込む。以上の処理によって、主要測定値の現在値と履歴図とが埋め込まれた位置関係図６００が生成される。
【００６６】
図１５は、主要測定値の現在値と履歴図とが埋め込まれたプロセス関係図を示す図である。図１５に示されるように、ＴＡＲＧＥＴ００１が注目機器であることが分かるように、プロセス関係図７００内のＴＡＲＧＥＴ００１に対して！マーク７１０が示されている。なお、！マーク７１０は一例であり、注目点を示すための他のマークが表示されてもよい。
【００６７】
ＴＡＲＧＥＴ００１と隣接する位置に、ＴＡＲＧＥＴ００１の履歴図７１１と主要測定値の現在値７１２が示されている。これによって、プラントの作業員Ｗは、注目機器ＴＡＲＧＥＴ００１の各種履歴情報と主要測定値の現在値とを把握することができるので、異常の原因を容易に特定することができる。
【００６８】
また、関連機器Ｌ００１１と隣接する位置に、Ｌ００１１の履歴図７１３と主要測定値の現在値７１４が示されている。これによって、プラントの作業員Ｗは、関連機器Ｌ００１１の各種履歴情報と主要測定値の現在値とを把握することができるので、異常の原因を容易に特定することができる。
【００６９】
また、関連機器ＰＩ００１３と隣接する位置に、ＰＩ００１３の履歴図７１５と主要測定値の現在値７１６が示されている。これによって、プラントの作業員Ｗは、関連機器ＰＩ００１３の各種履歴情報と主要測定値の現在値とを把握することができるので、異常の原因を容易に特定することができる。
【００７０】
プロセス関係図７００の上部には、ビュー切り替えキー７２０および７２１が配置されている。作業員Ｗがビュー切り替えキー７２０を選択すると、位置関係図６００（図１２）に表示部１２の画面が切り替わる。一方、作業員Ｗがビュー切り替えキー７２１を選択すると、後述する制御関係図８００（図１８）に表示部１２の画面が切り替わる。
【００７１】
また、プロセス関係図７００には、上スクロールキー７３０、下スクロールキー７３１、左スクロールキー７３２、および右スクロールキー７３３が配置されている。作業員Ｗが上スクロールキー７３０を選択すると、プロセス関係図７００が上方向にスクロールする。作業員Ｗが下スクロールキー７３１を選択すると、プロセス関係図７００が下方向にスクロールする。作業員Ｗが左スクロールキー７３２を選択すると、プロセス関係図７００が左方向にスクロールする。作業員Ｗが右スクロールキー７３３を選択すると、プロセス関係図７００が右方向にスクロールする。なお、作業員Ｗがプロセス関係図７００上で指をスワイプすることで、プロセス関係図７００をスクロールさせるようにしてもよい。
【００７２】
次に、測定値履歴埋込部３２ａによる測定値履歴の埋込処理、イベント履歴埋込部３２ｂによるイベント履歴の埋込処理、および現在値埋込部３２ｃによる主要測定値の現在値の埋込処理について説明する。
【００７３】
図１６は、記憶部に記憶されている主要測定値履歴情報の一例を示す図である。図１６に示されるように、主要測定値履歴情報７４０には、機器名の情報と、日時の情報と、データ名の情報と、データ値とが含まれる。読出／書込部３３は、記憶部３４から主要測定値履歴情報７４０を読み出す。
【００７４】
図１６の符号７５０に示されるように、測定値履歴埋込部３２ａは、注目機器ＴＡＲＧＥＴ００１の主要測定値の履歴情報（日時の情報、データ名の情報、およびデータ値）を主要測定値履歴情報７４０から取得する。また、図１６の符号７６０に示されるように、測定値履歴埋込部３２ａは、関連機器Ｌ００１１の主要測定値の履歴情報（日時の情報、データ名の情報、およびデータ値）を主要測定値履歴情報７４０から取得する。さらに、図１６の符号７６１に示されるように、測定値履歴埋込部３２ａは、関連機器ＰＩ００１３の主要測定値の履歴情報（日時の情報、データ名の情報、およびデータ値）を主要測定値履歴情報７４０から取得する。
【００７５】
図１７は、記憶部に記憶されているイベント履歴情報の一例を示す図である。図１７に示されるように、イベント履歴情報７７０には、機器名の情報と、日時の情報と、イベントの情報とが含まれる。読出／書込部３３は、記憶部３４からイベント履歴情報７７０を読み出す。
【００７６】
図１７の符号７８０および７８１に示されるように、イベント履歴埋込部３２ｂは、注目機器ＴＡＲＧＥＴ００１で発生したイベントの履歴情報（日時の情報およびイベントの情報）をイベント履歴情報７７０から取得する。また、図１７の符号７９０に示されるように、イベント履歴埋込部３２ｂは、関連機器Ｌ００１１で発生したイベントの履歴情報（日時の情報およびイベントの情報）をイベント履歴情報７７０から取得する。さらに、図１７の符号７９１に示されるように、イベント履歴埋込部３２ｂは、関連機器ＰＩ００１３で発生したイベントの履歴情報（日時の情報およびイベントの情報）をイベント履歴情報７７０から取得する。
【００７７】
図１５に示されるように、測定値履歴埋込部３２ａは、注目機器ＴＡＲＧＥＴ００１の主要測定値の履歴情報をプロセス関係図７００に埋め込む。また、イベント履歴埋込部３２ｂは、注目機器ＴＡＲＧＥＴ００１で発生したイベントの履歴情報をプロセス関係図７００に埋め込む。これによって、プロセス関係図７００に、ＴＡＲＧＥＴ００１の履歴図７１１が埋め込まれる。
【００７８】
また、現在値埋込部３２ｃは、注目機器ＴＡＲＧＥＴ００１の主要測定値の最新値を、主要測定値履歴情報７４０から取得する。そして、現在値埋込部３２ｃは、取得した最新値を、主要測定値の現在値７１２としてプロセス関係図７００に埋め込む。
【００７９】
一方、測定値履歴埋込部３２ａは、関連機器Ｌ００１１の主要測定値の履歴情報をプロセス関係図７００に埋め込む。また、イベント履歴埋込部３２ｂは、関連機器Ｌ００１１で発生したイベントの履歴情報をプロセス関係図７００に埋め込む。これによって、プロセス関係図７００に、Ｌ００１１の履歴図７１３が埋め込まれる。
【００８０】
また、現在値埋込部３２ｃは、関連機器Ｌ００１１の主要測定値の最新値を、主要測定値履歴情報７４０から取得する。そして、現在値埋込部３２ｃは、取得した最新値を、主要測定値の現在値７１４としてプロセス関係図７００に埋め込む。
【００８１】
一方、測定値履歴埋込部３２ａは、関連機器ＰＩ００１３の主要測定値の履歴情報をプロセス関係図７００に埋め込む。また、イベント履歴埋込部３２ｂは、関連機器ＰＩ００１３で発生したイベントの履歴情報をプロセス関係図７００に埋め込む。これによって、プロセス関係図７００に、ＰＩ００１３の履歴図７１５が埋め込まれる。
【００８２】
また、現在値埋込部３２ｃは、関連機器ＰＩ００１３の主要測定値の最新値を、主要測定値履歴情報７４０から取得する。そして、現在値埋込部３２ｃは、取得した最新値を、主要測定値の現在値７１６としてプロセス関係図７００に埋め込む。以上の処理によって、主要測定値の現在値と履歴図とが埋め込まれたプロセス関係図７００が生成される。
【００８３】
図１８は、主要測定値の現在値と履歴図とが埋め込まれた制御関係図を示す図である。図１８に示されるように、ＴＡＲＧＥＴ００１が注目機器であることが分かるように、制御関係図８００内のＴＡＲＧＥＴ００１に対して！マーク８１０が示されている。なお、！マーク８１０は一例であり、注目点を示すための他のマークが表示されてもよい。
【００８４】
ＴＡＲＧＥＴ００１と隣接する位置に、ＴＡＲＧＥＴ００１の履歴図８１１と主要測定値の現在値８１２が示されている。これによって、プラントの作業員Ｗは、注目機器ＴＡＲＧＥＴ００１の各種履歴情報と主要測定値の現在値とを把握することができるので、異常の原因を容易に特定することができる。
【００８５】
また、関連機器ＦＴ１００１と隣接する位置に、ＦＴ１００１の履歴図８１３と主要測定値の現在値８１４が示されている。これによって、プラントの作業員Ｗは、関連機器ＦＴ１００１の各種履歴情報と主要測定値の現在値とを把握することができるので、異常の原因を容易に特定することができる。
【００８６】
制御関係図８００の上部には、ビュー切り替えキー８２０および８２１が配置されている。作業員Ｗがビュー切り替えキー８２０を選択すると、プロセス関係図７００（図１５）に表示部１２の画面が切り替わる。一方、作業員Ｗがビュー切り替えキー８２１を選択すると、後述する通信関係図９００（図２１）に表示部１２の画面が切り替わる。
【００８７】
また、制御関係図８００には、上スクロールキー８３０、下スクロールキー８３１、左スクロールキー８３２、および右スクロールキー８３３が配置されている。作業員Ｗが上スクロールキー８３０を選択すると、制御関係図８００が上方向にスクロールする。作業員Ｗが下スクロールキー８３１を選択すると、制御関係図８００が下方向にスクロールする。作業員Ｗが左スクロールキー８３２を選択すると、制御関係図８００が左方向にスクロールする。作業員Ｗが右スクロールキー８３３を選択すると、制御関係図８００が右方向にスクロールする。なお、作業員Ｗが制御関係図８００上で指をスワイプすることで、制御関係図８００をスクロールさせるようにしてもよい。
【００８８】
次に、測定値履歴埋込部３２ａによる測定値履歴の埋込処理、イベント履歴埋込部３２ｂによるイベント履歴の埋込処理、および現在値埋込部３２ｃによる主要測定値の現在値の埋込処理について説明する。
【００８９】
図１９は、記憶部に記憶されている主要測定値履歴情報の一例を示す図である。図１９に示されるように、主要測定値履歴情報８４０には、機器名の情報と、日時の情報と、データ名の情報と、データ値とが含まれる。読出／書込部３３は、記憶部３４から主要測定値履歴情報８４０を読み出す。
【００９０】
図１９の符号８５０に示されるように、測定値履歴埋込部３２ａは、注目機器ＴＡＲＧＥＴ００１の主要測定値の履歴情報（日時の情報、データ名の情報、およびデータ値）を主要測定値履歴情報８４０から取得する。また、図１９の符号８６０に示されるように、測定値履歴埋込部３２ａは、関連機器ＦＴ１００１の主要測定値の履歴情報（日時の情報、データ名の情報、およびデータ値）を主要測定値履歴情報８４０から取得する。
【００９１】
図２０は、記憶部に記憶されているイベント履歴情報の一例を示す図である。図２０に示されるように、イベント履歴情報８７０には、機器名の情報と、日時の情報と、イベントの情報とが含まれる。読出／書込部３３は、記憶部３４からイベント履歴情報８７０を読み出す。
【００９２】
図２０の符号８８０に示されるように、イベント履歴埋込部３２ｂは、注目機器ＴＡＲＧＥＴ００１で発生したイベントの履歴情報（日時の情報およびイベントの情報）をイベント履歴情報８７０から取得する。また、図２０の符号８９０に示されるように、イベント履歴埋込部３２ｂは、関連機器ＦＴ１００１で発生したイベントの履歴情報（日時の情報およびイベントの情報）をイベント履歴情報８７０から取得する。
【００９３】
図１８に示されるように、測定値履歴埋込部３２ａは、注目機器ＴＡＲＧＥＴ００１の主要測定値の履歴情報を制御関係図８００に埋め込む。また、イベント履歴埋込部３２ｂは、注目機器ＴＡＲＧＥＴ００１で発生したイベントの履歴情報を制御関係図８００に埋め込む。これによって、制御関係図８００に、ＴＡＲＧＥＴ００１の履歴図８１１が埋め込まれる。
【００９４】
また、現在値埋込部３２ｃは、注目機器ＴＡＲＧＥＴ００１の主要測定値の最新値を、主要測定値履歴情報８４０から取得する。そして、現在値埋込部３２ｃは、取得した最新値を、主要測定値の現在値８１２として制御関係図８００に埋め込む。
【００９５】
一方、測定値履歴埋込部３２ａは、関連機器ＦＴ１００１の主要測定値の履歴情報を制御関係図８００に埋め込む。また、イベント履歴埋込部３２ｂは、関連機器ＦＴ１００１で発生したイベントの履歴情報を制御関係図８００に埋め込む。これによって、制御関係図８００に、ＦＴ１００１の履歴図８１３が埋め込まれる。
【００９６】
また、現在値埋込部３２ｃは、関連機器ＦＴ１００１の主要測定値の最新値を、主要測定値履歴情報８４０から取得する。そして、現在値埋込部３２ｃは、取得した最新値を、主要測定値の現在値８１４として制御関係図８００に埋め込む。以上の処理によって、主要測定値の現在値と履歴図とが埋め込まれた制御関係図８００が生成される。
【００９７】
図２１は、履歴図が埋め込まれた通信関係図を示す図である。図２１に示されるように、ＴＡＲＧＥＴ００１が注目機器であることが分かるように、通信関係図９００内のＴＡＲＧＥＴ００１に対して！マーク９１０が示されている。なお、！マーク９１０は一例であり、注目点を示すための他のマークが表示されてもよい。
【００９８】
ＴＡＲＧＥＴ００１と隣接する位置に、ＴＡＲＧＥＴ００１の履歴図９１１が示されている。これによって、プラントの作業員Ｗは、注目機器ＴＡＲＧＥＴ００１で発生したイベント（アラーム等）の履歴情報を把握することができるので、異常の原因を容易に特定することができる。
【００９９】
また、関連機器ＦＴ１００２と隣接する位置に、ＦＴ１００２の履歴図９１２が示されている。これによって、プラントの作業員Ｗは、関連機器ＦＴ１００２で発生したイベント（アラーム等）の履歴情報を把握することができるので、異常の原因を容易に特定することができる。
【０１００】
また、関連機器ＦＴ１００１と隣接する位置に、ＦＴ１００１の履歴図９１３が示されている。これによって、プラントの作業員Ｗは、関連機器ＦＴ１００１で発生したイベント（アラーム等）の履歴情報を把握することができるので、異常の原因を容易に特定することができる。
【０１０１】
通信関係図９００の上部には、ビュー切り替えキー９２０および９２１が配置されている。作業員Ｗがビュー切り替えキー９２０を選択すると、制御関係図８００（図１８）に表示部１２の画面が切り替わる。一方、作業員Ｗがビュー切り替えキー９２１を選択すると、位置関係図６００（図１２）に表示部１２の画面が切り替わる。
【０１０２】
また、通信関係図９００には、上スクロールキー９３０、下スクロールキー９３１、左スクロールキー９３２、および右スクロールキー９３３が配置されている。作業員Ｗが上スクロールキー９３０を選択すると、通信関係図９００が上方向にスクロールする。作業員Ｗが下スクロールキー９３１を選択すると、通信関係図９００が下方向にスクロールする。作業員Ｗが左スクロールキー９３２を選択すると、通信関係図９００が左方向にスクロールする。作業員Ｗが右スクロールキー９３３を選択すると、通信関係図９００が右方向にスクロールする。なお、作業員Ｗが通信関係図９００上で指をスワイプすることで、通信関係図９００をスクロールさせるようにしてもよい。
【０１０３】
次に、イベント履歴埋込部３２ｂによるイベント履歴の埋込処理について説明する。図２２は、記憶部に記憶されているイベント履歴情報の一例を示す図である。図２２に示されるように、イベント履歴情報９４０には、機器名の情報と、日時の情報と、イベントの情報とが含まれる。読出／書込部３３は、記憶部３４からイベント履歴情報９４０を読み出す。
【０１０４】
図２２の符号９５０に示されるように、イベント履歴埋込部３２ｂは、注目機器ＴＡＲＧＥＴ００１で発生したイベントの履歴情報（日時の情報およびイベントの情報）をイベント履歴情報９４０から取得する。また、図２２の符号９６０に示されるように、イベント履歴埋込部３２ｂは、関連機器ＦＴ１００１およびＦＴ１００２で発生したイベントの履歴情報（日時の情報およびイベントの情報）をイベント履歴情報９４０から取得する。
【０１０５】
図２１に示されるように、イベント履歴埋込部３２ｂは、注目機器ＴＡＲＧＥＴ００１で発生したイベントの履歴情報を通信関係図９００に埋め込む。これによって、通信関係図９００に、ＴＡＲＧＥＴ００１の履歴図９１１が埋め込まれる。
【０１０６】
また、イベント履歴埋込部３２ｂは、関連機器ＦＴ１００２で発生したイベントの履歴情報を通信関係図９００に埋め込む。これによって、通信関係図９００に、ＦＴ１００２の履歴図９１２が埋め込まれる。
【０１０７】
また、イベント履歴埋込部３２ｂは、関連機器ＦＴ１００１で発生したイベントの履歴情報を通信関係図９００に埋め込む。これによって、通信関係図９００に、ＦＴ１００１の履歴図９１３が埋め込まれる。以上の処理によって、履歴図が埋め込まれた通信関係図９００が生成される。なお、通信関係図９００においても、測定値履歴の埋込処理や現在値の埋込処理が行われてもよい。
【０１０８】
なお、図１２、１５、１８、および２１において、多くのフィールド機器の現在値や履歴が表示されると、表示部１２の大きさによっては煩雑になって識別困難になる場合もあるため、その場合には、作業員Ｗがフィールド機器を画面上で指定して、現在値や履歴の表示を消したり、必要に応じて表示を復活させたりすることもできる。
【０１０９】
図２３は、端末装置によって実行される表示処理を示すフローチャートである。プラントの作業員Ｗは、表示部１２に表示された画面から、注目機器を指定する。注目機器の指定は、タッチパッド等で構成される指定部１１を用いて行われる（ステップＳ１０）。注目機器が指定されると、送信部１３ａは、注目機器の情報（機器名：ＴＡＲＧＥＴ００１）を情報処理装置３０へ送信する（ステップＳ１１）。
【０１１０】
一方、情報処理装置３０においては、端末装置１０から受信した注目機器の情報に基づいて、関係図情報が作成される。ここで、関係図情報は、４つの関係図（位置関係図６００（図１２）、プロセス関係図７００（図１５）、制御関係図８００（図１８）、および通信関係図９００（図２１））を示す情報である。
【０１１１】
その後、受信部１３ｂは、情報処理装置３０から関係図情報を受信する（ステップＳ１２）。表示部１２は、受信した関係図情報に基づき、４つの関係図のうちの１つの関係図（例えば、位置関係図６００（図１２））を表示する（ステップＳ１３）。
【０１１２】
表示部１２に表示された関係図上でビュー切り替えキーが選択された場合（ステップＳ１４：ＹＥＳ）、表示部１２は、選択されたビュー切り替えキーに応じて関係図を切り替える（ステップＳ１５）。そして、表示部１２は、ステップＳ１３に戻り、切り替えられた関係図を表示する。
【０１１３】
一方、表示部１２に表示された関係図上でビュー切り替えキーが選択されていない場合（ステップＳ１４：ＮＯ）、ステップＳ１６に進む。表示部１２に表示された関係図上で、現在指定されている注目機器とは異なる別の注目機器が指定された場合（ステップＳ１６：ＹＥＳ）、ステップＳ１１に戻り、送信部１３ａは指定された別の注目機器の情報を情報処理装置３０へ送信する。これに応じて、情報処理装置３０は、送信された別の注目機器の情報に基づき、関係図を再生成する。一方、表示部１２に表示された関係図上で別の注目機器が指定されていない場合（ステップＳ１６：ＮＯ）、ステップＳ１４に戻る。
【０１１４】
なお、図２３に示されるフローチャートを実行するためのプログラムは、例えばＣＤ−ＲＯＭ等の非一過性の記録媒体に記憶させてもよい。この記録媒体を用いれば、例えば端末装置１０に上記プログラムをインストールすることができる。
【０１１５】
図２４は、情報処理装置によって実行される関係図の生成処理を示すフローチャートである。図２３のステップＳ１１において、端末装置１０の送信部１３ａが注目機器の情報を送信すると、情報処理装置３０の受信部３５ｂは注目機器の情報を受信する（ステップＳ２０：ＹＥＳ）。その後、読出／書込部３３は、記憶部３４から関係性情報（位置関係性情報１２０（図４）、プロセス関係性情報２２０（図６）、制御関係性情報３２０（図８）、および通信関係性情報４２０（図１０））を読み出す。
【０１１６】
次に、位置関係図生成部３１ａは位置関係図生成処理を行い（ステップＳ２２）、プロセス関係図生成部３１ｂはプロセス関係図生成処理を行い（ステップＳ２３）、制御関係図生成部３１ｃは制御関係図生成処理を行い（ステップＳ２４）、通信関係図生成部３１ｄは通信関係図生成処理を行う（ステップＳ２５）。これらの生成処理の詳細については後述する。
【０１１７】
その後、送信部３５ａは、生成された４つの図データ（位置関係図、プロセス関係図、制御関係図、および通信関係図）を端末装置１０に送信し（ステップＳ２６）、ステップＳ２０に戻る。送信部３５ａによって送信された４つの図データは、図２３のステップＳ１２において、端末装置１０の受信部１３ｂによって受信される。
【０１１８】
図２５は、情報処理装置によって実行される位置関係図の生成処理を示すフローチャートである。図２５は、図２４のステップＳ２２の位置関係図生成処理を詳細に示す図である。位置関係図生成部３１ａは、図４で示したように、注目機器から所定距離内にあるフィールド機器を関連機器として抽出する（ステップＳ３０）。そして、位置関係図生成部３１ａは、図３に示される位置関係図１００を生成する（ステップＳ３１）。
【０１１９】
次に、現在値埋込部３２ｃは、主要測定値の現在値を埋め込む（ステップＳ３２）。測定値履歴埋込部３２ａは、主要測定値の履歴情報を埋め込む（ステップＳ３３）。イベント履歴埋込部３２ｂは、イベントの履歴情報を埋め込む（ステップＳ３４）。
【０１２０】
その後、抽出された全てのフィールド機器（注目機器および関連機器）に対して埋め込みが完了していない場合（ステップＳ３５：ＮＯ）、ステップＳ３２に戻り、他の機器に対する埋め込み処理が行われる。一方、抽出された全てのフィールド機器（注目機器および関連機器）に対して埋め込みが完了した場合（ステップＳ３５：ＹＥＳ）、本フローチャートによる処理を終了する。以上の処理によって、図１２に示されるように、主要測定値の現在値と履歴図とが埋め込まれた位置関係図６００が生成される。
【０１２１】
図２６は、情報処理装置によって実行されるプロセス関係図の生成処理を示すフローチャートである。図２６は、図２４のステップＳ２３のプロセス関係図生成処理を詳細に示す図である。プロセス関係図生成部３１ｂは、図６で示したように、注目機器とプロセス上の接続関係があるフィールド機器を関連機器として抽出する（ステップＳ４０）。そして、プロセス関係図生成部３１ｂは、図５に示されるプロセス関係図２００を生成する（ステップＳ４１）。
【０１２２】
次に、現在値埋込部３２ｃは、主要測定値の現在値を埋め込む（ステップＳ４２）。測定値履歴埋込部３２ａは、主要測定値の履歴情報を埋め込む（ステップＳ４３）。イベント履歴埋込部３２ｂは、イベントの履歴情報を埋め込む（ステップＳ４４）。
【０１２３】
その後、抽出された全てのフィールド機器（注目機器および関連機器）に対して埋め込みが完了していない場合（ステップＳ４５：ＮＯ）、ステップＳ４２に戻り、他の機器に対する埋め込み処理が行われる。一方、抽出された全てのフィールド機器（注目機器および関連機器）に対して埋め込みが完了した場合（ステップＳ４５：ＹＥＳ）、本フローチャートによる処理を終了する。以上の処理によって、図１５に示されるように、主要測定値の現在値と履歴図とが埋め込まれたプロセス関係図７００が生成される。
【０１２４】
図２７は、情報処理装置によって実行される制御関係図の生成処理を示すフローチャートである。図２７は、図２４のステップＳ２４の制御関係図生成処理を詳細に示す図である。制御関係図生成部３１ｃは、図８で示したように、注目機器と制御上の入出力関係があるフィールド機器を関連機器として抽出する（ステップＳ５０）。そして、制御関係図生成部３１ｃは、図７に示される制御関係図３００を生成する（ステップＳ５１）。
【０１２５】
次に、現在値埋込部３２ｃは、主要測定値の現在値を埋め込む（ステップＳ５２）。測定値履歴埋込部３２ａは、主要測定値の履歴情報を埋め込む（ステップＳ５３）。イベント履歴埋込部３２ｂは、イベントの履歴情報を埋め込む（ステップＳ５４）。
【０１２６】
その後、抽出された全てのフィールド機器（注目機器および関連機器）に対して埋め込みが完了していない場合（ステップＳ５５：ＮＯ）、ステップＳ５２に戻り、他の機器に対する埋め込み処理が行われる。一方、抽出された全てのフィールド機器（注目機器および関連機器）に対して埋め込みが完了した場合（ステップＳ５５：ＹＥＳ）、本フローチャートによる処理を終了する。以上の処理によって、図１８に示されるように、主要測定値の現在値と履歴図とが埋め込まれた制御関係図８００が生成される。
【０１２７】
図２８は、情報処理装置によって実行される通信関係図の生成処理を示すフローチャートである。図２８は、図２４のステップＳ２５の通信関係図生成処理を詳細に示す図である。通信関係図生成部３１ｄは、図１０で示したように、注目機器と通信上の接続関係があるフィールド機器を関連機器として抽出する（ステップＳ６０）。そして、通信関係図生成部３１ｄは、図９に示される通信関係図４００を生成する（ステップＳ６１）。
【０１２８】
次に、イベント履歴埋込部３２ｂは、イベントの履歴情報を埋め込む（ステップＳ６２）。その後、抽出された全てのフィールド機器（注目機器および関連機器）に対して埋め込みが完了していない場合（ステップＳ６３：ＮＯ）、ステップＳ６２に戻り、他の機器に対する埋め込み処理が行われる。一方、抽出された全てのフィールド機器（注目機器および関連機器）に対して埋め込みが完了した場合（ステップＳ６３：ＹＥＳ）、本フローチャートによる処理を終了する。以上の処理によって、図２１に示されるように、履歴図が埋め込まれた通信関係図９００が生成される。
【０１２９】
なお、図２４〜２８に示されるフローチャートを実行するためのプログラムは、例えばＣＤ−ＲＯＭ等の非一過性の記録媒体に記憶させてもよい。この記録媒体を用いれば、例えば情報処理装置３０に上記プログラムをインストールすることができる。
【０１３０】
また、本実施形態においては、表示部１２は４つの関係図（位置関係図６００（図１２）、プロセス関係図７００（図１５）、制御関係図８００（図１８）、および通信関係図９００（図２１））を切り替え可能に表示することとしたが、これに限られない。例えば、表示部１２は、４つの関係図のうちの少なくとも２つの関係図を切り替え可能に表示してもよい。
【０１３１】
また、表示部１２は、作業員Ｗによるスクロールキーに対する操作に応じて、注目機器の測定値の履歴情報および関連機器の測定値の履歴情報を連動してスクロールさせてもよい。同様に、表示部１２は、作業員Ｗによるスクロールキーに対する操作に応じて、注目機器で発生したイベントの履歴情報および関連機器で発生したイベントの履歴情報を連動してスクロールさせてもよい。
【０１３２】
以上説明したように、本実施形態の情報処理装置３０は、プラントを構成する複数の機器のうち、注目機器を示す情報を端末装置１０から受信する受信部３５ｂと、複数の機器の関係性を示す関係性情報を記憶する記憶部３４と、注目機器を示す情報と関係性情報とに基づき、注目機器および関連機器が示される少なくとも２つの関係図を生成する生成部３１と、生成部３１によって生成された少なくとも２つの関係図を、端末装置１０へ送信する送信部３５ａとを有する。
【０１３３】
また、本実施形態の端末装置１０は、プラントを構成する複数の機器の中から注目機器を指定する指定部１１と、指定部１１によって指定された注目機器を示す情報を、情報処理装置３０に送信する送信部１３ａと、注目機器と関連機器とが示される少なくとも２つの関係図を、情報処理装置３０から受信する受信部１３ｂと、受信部１３ｂによって受信された少なくとも２つの関係図を表示する表示部１２とを有する。
【０１３４】
これによって、知識や経験に乏しいプラントの作業員であっても、異常の原因が存在する機器を容易に特定することができる。
【０１３５】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【０１３６】
１  プラント運転支援システム、１０  端末装置、１１  指定部、１２  表示部、１３ａ  送信部、１３ｂ  受信部、３０  情報処理装置、３１  生成部、３１ａ  位置関係図生成部、３１ｂ  プロセス関係図生成部、３１ｃ  制御関係図生成部、３１ｄ  通信関係図生成部、３２  埋込部、３２ａ  測定値履歴埋込部、３２ｂ  イベント履歴埋込部、３２ｃ  現在値埋込部、３３  読出／書込部、３４  記憶部、３５ａ  送信部、３５ｂ  受信部
【図１】
2018045720.tif 000003
【図２】
2018045720.tif 000004
【図３】
2018045720.tif 000005
【図４】
2018045720.tif 000006
【図５】
2018045720.tif 000007
【図６】
2018045720.tif 000008
【図７】
2018045720.tif 000009
【図８】
2018045720.tif 000010
【図９】
2018045720.tif 000011
【図１０】
2018045720.tif 000012
【図１１】
2018045720.tif 000013
【図１２】
2018045720.tif 000014
【図１３】
2018045720.tif 000015
【図１４】
2018045720.tif 000016
【図１５】
2018045720.tif 000017
【図１６】
2018045720.tif 000018
【図１７】
2018045720.tif 000019
【図１８】
2018045720.tif 000020
【図１９】
2018045720.tif 000021
【図２０】
2018045720.tif 000022
【図２１】
2018045720.tif 000023
【図２２】
2018045720.tif 000024
【図２３】
2018045720.tif 000025
【図２４】
2018045720.tif 000026
【図２５】
2018045720.tif 000027
【図２６】
2018045720.tif 000028
【図２７】
2018045720.tif 000029
【図２８】
2018045720.tif 000030